(57)【特許請求の範囲】
【請求項１】
黒インクを吐出する黒色用プリントヘッドと、前記黒インクより記録紙に対する浸透性の良いカラーインクを吐出するカラー用プリントヘッドを用いて、前記各プリントヘッドのノズルを複数のブロックに分割して、各記録領域を異なったノズルで複数回走査して記録するマルチパス記録を行うインクジェット記録装置において、
入力データに基づいて、前記黒インクを用いて記録される黒画像領域、前記カラーインクを用いて記録されるカラー画像領域、前記カラーインクを着滴させるべき画素から２画素以内の前記黒インクを着滴させるべき画素群である黒画像境界領域、及び前記黒インクを着滴させるべき画素から２画素以内の前記カラーインクを着滴させるべき画素群であるカラー画像境界領域を検出する領域検出手段と、
検出された前記黒画像境界領域及び前記黒画像領域から前記黒画像境界領域を除いた黒画像内部領域のそれぞれに対して、黒画素を間引き、間引いた画素にカラー画素を追加する画素変換を行う画素変換手段と、
前記画素変換が行われた黒画像内部領域に対しては、前記黒画素より先に前記カラー画素を打ち込み、前記画素変換が行われた黒画像境界領域に対しては、前記カラー画素の打ち込みと同時に前記黒画素を打ち込むことを決定する決定手段と、を有することを特徴とするインクジェット記録装置。
【請求項２】
前記画素変換手段は、検出された前記カラー画像境界領域に対して、前記カラー画素を間引く画素変換を行い、
前記決定手段は、前記画素変換が行われたカラー画像境界領域に対し、前記画素変換が行われた黒画像内部領域に対する前記黒画素の打ち込みと同時に前記カラー画素を打ち込むことを決定することを特徴とする請求項１に記載のインクジェット記録装置。
【請求項３】
前記黒画素及び前記カラー画素を間引くためのマスクパターンを生成するマスクパターン生成手段をさらに含むことを特徴とする請求項２に記載のインクジェット記録装置。
【請求項４】
前記マルチパス記録の走査回数が偶数であることを特徴とする請求項１から請求項３のいずれか一項に記載のインクジェット記録装置。
【請求項５】
単位当たりの前記ブロックに含まれるノズルの数は、前記ノズルの数を前記走査回数で割った数であることを特徴とする請求項１から請求項４のいずれか一項に記載のインクジェット記録装置。
【請求項６】
黒インクを吐出する黒色用プリントヘッドと、前記黒インクより記録紙に対する浸透性の良いカラーインクを吐出するカラー用プリントヘッドを用いて、前記各プリントヘッドのノズルを複数のブロックに分割して、各記録領域を異なったノズルで複数回走査して記録するマルチパス記録を行うインクジェット記録方法において、
入力データに基づいて、前記黒インクを用いて記録される黒画像領域、前記カラーインクを用いて記録されるカラー画像領域、前記カラーインクを着滴させるべき画素から２画素以内の前記黒インクを着滴させるべき画素群である黒画像境界領域、及び前記黒インクを着滴させるべき画素から２画素以内の前記カラーインクを着滴させるべき画素群であるカラー画像境界領域を検出する領域検出ステップと、
検出された前記黒画像境界領域及び前記黒画像領域から前記黒画像境界領域を除いた黒画像内部領域のそれぞれに対して、黒画素を間引き、間引いた画素にカラー画素を追加する画素変換を行う画素変換ステップと、
前記画素変換が行われた黒画像内部領域に対しては、前記黒画素より先に前記カラー画素を打ち込み、前記画素変換が行われた黒画像境界領域に対しては、前記カラー画素の打ち込みと同時に前記黒画素を打ち込むことを決定する決定ステップと、
を有することを特徴とするインクジェット記録方法。
【請求項７】
前記画素変換ステップは、検出された前記カラー画像境界領域に対して、前記カラー画素を間引く画素変換を行い、
前記決定ステップは、前記画素変換が行われたカラー画像境界領域に対し、前記画素変換が行われた黒画像内部領域に対する前記黒画素の打ち込みと同時に前記カラー画素を打ち込むことを決定することを特徴とする請求項６に記載のインクジェット記録方法。
【発明の詳細な説明】
【技術分野】
【０００１】
本発明は、インクジェット記録装置及びインクジェット記録方法に関する。
【背景技術】
【０００２】
従来、ノズルから液体のインク滴を吐出して画像の記録を行うカラーインクジェット方式が提案されている。このカラーインクジェット方式は、構造が簡単で印字の音が小さい記録装置であるため、小型プリンタに適した技術である。しかし、インク滲みのない高品位な画像を得るためにはインク吸収層を設けたコート紙等を使用する必要があり、コピー用紙など普通紙では、色と色の境界部分でのインク滲みを起こし易いという欠点があった。
【０００３】
これに対して、インクの用紙に対する浸透性を高めることにより色間の滲みを抑える方法が提案されている。しかし、この方法では、特に黒インクにおいて線、文字等のエッジがシャープでなくなる（フェザリング）という問題がある。
【０００４】
このため、線、文字の画像品位を高めるべく、黒インクに浸透性が低いインクを、カラーインクに浸透性が高いインクを用いることにより、線、文字の画像品位を高くし、カラーインク間の滲みを抑えた方法が提案されている。しかし、この方法では浸透速度が異なる黒インクとカラーインクによる印字部の隣接部分における滲みは防ぐことが出来ない。この問題を解決する従来例として、以下のものが提案されている。
【０００５】
特許文献１記載の装置では、画像中の黒インクとカラーインクで形成される領域の境界において、印字画素の変換を行うことにより、黒インクとカラーインクによる滲みを防止するというものである。
【０００６】
また、特許文献２記載の装置は、黒インクとカラーインクの記録紙への着弾に時間差を設けて、インクの滲みを防止するというものである。また、特許文献３記載の装置は、画像データから記録濃度を計数し、記録濃度に応じて、１主走査単位で複数の記録モードを切り替えるというものである。
【０００７】
さらに、黒インクによる印字品質を向上させるため、浸透速度が遅い黒インクを用いると、定着速度が遅いため高速印字時に印字物同士の重なりによって、インクの転写などが発生するという問題がある。この問題を解決する従来技術として、インクの定着速度を向上させるために、浸透性の高いカラーインクを黒インクに先駆けて印字しておくことや黒インクとカラーインクの化学反応を利用する方法が提案されている。
【０００８】
【特許文献１】特開平６−１１３１５５号公報
【特許文献２】特開平１０−６７１２５号公報
【特許文献３】特開平１１−７７９９２号公報
【発明の開示】
【発明が解決しようとする課題】
【０００９】
しかしながら、特許文献１記載の装置では、インクの滲みを防ぐための画素変換を過剰に適用すると、黒画素と隣接する境界領域のカラー画素を空白データに置き換えた場合、境界が白線となって見えてしまう。また、カラー画素と隣接する境界領域の黒画素をカラーインクで置き換えた場合、置き換えた領域の明度が黒インクよりも下がるため明度が高くなり十分な濃度が得られず黒領域の画像品位が損なわれる。このため、極端な画素変換が必要とされるような場合には、滲みを防ぐための画素変換処理が、別の画像劣化を引き起こしてしまうという問題がある。
【００１０】
また、特許文献２記載の装置では、滲みが問題となるインクがそれぞれ一定の時間間隔を置いて用紙上に形成されるため滲みを防ぐ効果は大きいが、実質的な印字速度が大きく損なわれてしまうという問題がある。
【００１１】
また、特許文献３記載の装置では、滲みはそれほど問題にならないイメージデータでも記録モードが変更されてしまい、不必要な印字速度の低下が発生してしまうという問題がある。
【００１２】
また、第４の従来技術では、黒インクより先にカラーインクが用紙上に形成されている必要があるが、黒インクとカラーインクの走査を分けて印字した場合、印字速度の低下を招いてしまうという問題がある。
【００１３】
そこで、本発明は、上記問題点に鑑みてなされたもので、印字速度の低下や画像劣化を起こすことのなく、インクの滲みを抑制できるインクジェット記録装置及びインクジェット記録方法を提供することを目的とする。
【課題を解決するための手段】
【００１４】
上記課題を解決するために、本発明のインクジェット記録装置は、請求項１に記載のように、黒インクを吐出する黒色用プリントヘッドと、黒インクより記録紙に対する浸透性の良いカラーインクを吐出するカラー用プリントヘッドを用いて、各プリントヘッドのノズルを複数のブロックに分割して、各記録領域を異なったノズルで複数回走査して記録するマルチパス記録を行うインクジェット記録装置において、入力データに基づいて、黒インクを用いて記録される黒画像領域、カラーインクを用いて記録されるカラー画像領域、カラーインクを着滴させるべき画素から２画素以内の黒インクを着滴させるべき画素群である黒画像境界領域、及び黒インクを着滴させるべき画素から２画素以内のカラーインクを着滴させるべき画素群であるカラー画像境界領域を検出する領域検出手段と、検出された黒画像境界領域及び黒画像領域から黒画像境界領域を除いた黒画像内部領域のそれぞれに対して、黒画素を間引き、間引いた画素にカラー画素を追加する画素変換を行う画素変換手段と、画素変換が行われた黒画像内部領域に対しては、黒画素より先にカラー画素を打ち込み、画素変換が行われた黒画像境界領域に対しては、カラー画素の打ち込みと同時に黒画素を打ち込むことを決定する決定手段と、を有することを特徴とする。
【００１５】
請求項１記載の発明よれば、黒画像領域とカラー画像領域の判別結果に基づいて、黒インク又はカラーインクのいずれを先に記録紙上に記録するかを決定するようにしたので、マルチパス記録の際のインク滲みを抑制できる。また、マルチパス印字は通常通り行われるので、印字スピードが低下することはない。また、従来問題となっていた画素変換処理による画像劣化を引き起こすこともない。さらに、領域の検出結果に応じて、黒インク又はカラーインクのいずれを先に記録紙上に記録するかを決定できる。さらに、所定の画素変換規則に従って画素変換を行うようにしたので、インクの滲みを更に防止することができる。さらに、黒画像領域は、黒インクを記録する前に、黒インクを記録する箇所に対してカラーインクが記録されるので、インクの浸透性が良くなり、黒インクの乾燥性、定着性を改善することができる。
【００１６】
また、本発明は、請求項２に記載のように、請求項１記載のインクジェット記録装置において、画素変換手段は、検出されたカラー画像境界領域に対して、カラー画素を間引く画素変換を行い、決定手段は、画素変換が行われたカラー画像境界領域に対し、画素変換が行われた黒画像内部領域に対する黒画素の打ち込みと同時にカラー画素を打ち込むことを決定することを特徴とする。請求項２記載の発明によれば、黒画像境界領域を記録する走査よりも後の走査でカラー画像境界領域を記録するようにしたので、黒インクを記録してからカラーインクを記録するまでの時間間隔を設けることができるため、黒インクとカラーインクによる滲みを抑制することができる。
【００２０】
また、本発明は、請求項３に記載のように、請求項２に記載のインクジェット記録装置において、前記黒画素及び前記カラー画素を間引くためのマスクパターンを生成するマスクパターン生成手段をさらに含むことを特徴とする。請求項３記載の発明によれば、インク滲みの少ないカラー画像内部領域以外の領域を間引いて記録するようにしたので、画像境界領域での滲みの抑制を行い、かつ滲みの発生の無い部分に対しては不必要な間引きを行わないため、不必要な画質変化を避けることが出来る。
【００２４】
また、本発明は、請求項４に記載のように、請求項１から請求項３のいずれか一項に記載のインクジェット記録装置において、前記マルチパス記録の走査回数が偶数であることを特徴とする。
【００２５】
また、本発明は、請求項５に記載のように、請求項１から請求項４のいずれか一項に記載のインクジェット記録装置において、単位当たりの前記ブロックに含まれるノズルの数は、前記ノズルの数を前記走査回数で割った数であることを特徴とする。
【００２６】
また、本発明のインクジェット記録方法は、請求項６に記載のように、黒インクを吐出する黒色用プリントヘッドと、黒インクより記録紙に対する浸透性の良いカラーインクを吐出するカラー用プリントヘッドを用いて、各プリントヘッドのノズルを複数のブロックに分割して、各記録領域を異なったノズルで複数回走査して記録するマルチパス記録を行うインクジェット記録方法において、入力データに基づいて、黒インクを用いて記録される黒画像領域、カラーインクを用いて記録されるカラー画像領域、カラーインクを着滴させるべき画素から２画素以内の黒インクを着滴させるべき画素群である黒画像境界領域、及び黒インクを着滴させるべき画素から２画素以内のカラーインクを着滴させるべき画素群であるカラー画像境界領域を検出する領域検出ステップと、検出された黒画像境界領域及び黒画像領域から黒画像境界領域を除いた黒画像内部領域のそれぞれに対して、黒画素を間引き、間引いた画素にカラー画素を追加する画素変換を行う画素変換ステップと、画素変換が行われた黒画像内部領域に対しては、黒画素より先にカラー画素を打ち込み、画素変換が行われた黒画像境界領域に対しては、カラー画素の打ち込みと同時に黒画素を打ち込むことを決定する決定ステップと、を有することを特徴とする。
【００２７】
請求項６記載の発明よれば、黒画像領域とカラー画像領域の判別結果に基づいて、黒インク又はカラーインクのいずれを先に記録紙上に記録するかを決定するようにしたので、マルチパス記録の際のインク滲みを抑制できる。また、マルチパス印字は通常通り行われるので、印字スピードが低下することはない。また、従来問題となっていた画素変換処理による画像劣化を引き起こすこともない。さらに、領域の検出結果に応じて、黒インク又はカラーインクのいずれを先に記録紙上に記録するかを決定できる。さらに、所定の画素変換規則に従って画素変換を行うようにしたので、インクの滲みを更に防止することができる。さらに、黒画像領域は、黒インクを記録する前に、黒インクを記録する箇所に対してカラーインクが記録されるので、インクの浸透性が良くなり、黒インクの乾燥性、定着性を改善することができる。
【００２８】
また、本発明は、請求項７に記載のように、請求項６記載のインクジェット記録方法において、画素変換ステップは、検出されたカラー画像境界領域に対して、カラー画素を間引く画素変換を行い、決定ステップは、画素変換が行われたカラー画像境界領域に対し、画素変換が行われた黒画像内部領域に対する黒画素の打ち込みと同時にカラー画素を打ち込むことを決定することを特徴とする。請求項７記載の発明によれば、黒画像境界領域を記録する走査よりも後の走査でカラー画像境界領域を記録するようにしたので、黒インクを記録してからカラーインクを記録するまでの時間間隔を設けることができるため、黒インクとカラーインクによる滲みを抑制することができる。
【発明の効果】
【００３５】
本発明によれば、印字速度の低下や画像劣化を起こすことのなく、インクの滲みを抑制できるインクジェット記録装置及びインクジェット記録方法を提供することができる。
【発明を実施するための最良の形態】
【００３６】
以下、本発明を実施するための最良の形態について実施例を用いて説明する。
【実施例１】
【００３７】
図１は第１実施例に係るインクジェット記録装置のブロック図である。インクジェット記録装置１は、各プリントヘッドのノズルを複数のブロックに分割して、各記録領域を異なったノズルで複数回走査して記録するマルチパス記録を行う。
【００３８】
図１に示すように、インクジェット記録装置１は、画像処理装置２、プリントヘッド駆動部３、プリントヘッド４、モータ駆動部５、紙送りモータ６、キャリッジモータ７を備える。画像処理装置２は、色補正処理部２１、ｎ値化処理部２２、画素処理部２３、記録データ格納部２０４、マスクパターン生成部２０５、マルチパス印字データ生成部２０６を有する。
【００３９】
なお、画像処理装置２は、例えばＣＰＵ（Ｃｅｎｔｒａｌ  Ｐｒｏｃｅｓｓｉｎｇ  Ｕｎｉｔ）３０、ＲＯＭ（Ｒｅａｄ  Ｏｎｌｙ  Ｍｅｍｏｒｙ）３１、ＲＡＭ（Ｒａｎｄｏｍ  Ａｃｃｅｓｓ  Ｍｅｍｏｒｙ）３２により実現される。ＣＰＵ３０は、ＲＯＭ３１内の画像処理プログラムをＲＡＭ３２にロードして画像処理やモータ駆動部５の制御等を行う。
【００４０】
色補正部２０１は、ＲＧＢ（レッド、グリーン、ブルー）データとなる画像情報を入力し、その入力画像情報に対してガンマ補正等の補正処理を施すと共に、ＣＭＫＹ（シアン、マゼンタ、イエロー、黒）データへの色変換処理及び各種調整処理を行う。
【００４１】
ｎ値化部２０２は、色補正部２０１からの各色成分（Ｃ、Ｍ、Ｙ、Ｋ）の画像データ（階調データ）を所定の閾値を用いてｎ値化して各色成分のビット値（０１または００）で構成される印字データを生成する。具体的には、色補正部２０１からの画像データに対して、横方向にＮI個（０番目〜ＮI-1番目）、縦方向にＮJ個（０番目〜ＮJ-1番目）配列された各画素（ｉ，ｊ）に対応させてシアン（Ｃ）、マゼンタ（Ｍ）、イエロー（Ｙ）及び黒（Ｋ）の各色成分に対するビット値Ｃij、Ｍij、Ｙij、Ｋijで構成される印字データＰij＝｛Ｃij，Ｍij，Ｙij，Ｋij｝を生成する。
【００４２】
画像処理部２０３は、領域検出部２０３ａ、画素変換部２０３ｂを有する。領域検出部２０３ａは、領域検出手段に相当し、供給された印字データに基づいて
黒インクを用いて記録される黒画像領域、カラーインクを用いて記録されるカラー画像領域、黒画像領域の所定領域に位置する黒画像境界領域、及び前記カラー画像領域の所定領域に位置するカラー画像境界領域を検出する。ここでいう所定領域とは黒画素とカラー画素が隣接している領域を指す。すなわち、黒画像境界領域は、カラーインクの印字領域に接する黒インクの所定印字領域（例えば、カラーインクを着滴させるべき画素からｐ画素以内の黒インクを着滴させるべき画素郡）である。カラー画像境界領域は、黒インクの印字領域に接するカラーインクの所定印字領域（例えば黒インクを着滴させるべき画素からｑ画素以内カラーインクを着滴させるべき画素郡）である。なお、以下において、黒画像領域のうち黒画像境界領域を除いた黒画素に囲まれた部分を黒画像内部領域といい、カラー画像領域のうちカラー画像境界領域を除いたカラー画素に囲まれた部分をカラー画像内部領域というものとする。また、上記いずれの領域にも含まれない領域、すなわち白部分（無印字部分）と隣接する黒およびカラー画素領域２４は本発明による処理には関わらないため、以下の図中などに特に明示はしていない。
【００４３】
画素変換部２０３ｂは、画素変換手段に相当し、画素の領域判定結果に基づきｎ値化後のＣＭＫデータに対して、所定の画素変換規則に従って、黒画像領域又はカラー画像領域の画素を所定の画素に変換し、また、付加情報の埋め込みを行う。ここで、画素変換処理では、画素変換規則に従って、黒画像境界領域及びカラー画像境界領域の黒画素領域では、黒画素をカラー画素へ置換又はカラー画素の追加を行う。また、カラー画素領域では、カラー画素の間引きを行う。また、黒画像内部領域では、黒画素の間引き、カラー画素への置換又はカラー画素の追加を行う。なお、画素変換規則は、領域毎又は用紙印字モードなど他の要因によって複数の設定値から選択されて適用されるようにしてもよい。また、画素変換部２０３ｂでは、画素変換を行われず付加情報の組み込みだけを行うようにしてもよい。
【００４４】
上記のように画素変換部２０３ｂにて得られた変換後の画素単位の印字データは、記録データ格納部２０４の所定領域に格納される。マスクパターン生成部２０５は、マスクパターン生成手段に相当し、付加情報に基づき、データマスク処理のためのマルチパスマスクパターンを生成し、生成したマルチパスマスクパターンをマルチ印字データ生成部２６へ出力する。また、マスクパターン生成部２０５は、各プリントヘッド４の走査回数に応じて、各走査において使用するマスクパターンを生成するようにしてもよい。
【００４５】
マルチパス印字データ生成部２０６は、決定手段に相当し、印字主走査ごとに、付加情報が付加された印字データに基づいて、黒画像領域とカラー画像領域を判別し、判別結果に基づいて、黒インク又はカラーインクのいずれを先に記録紙上に記録するかを決定する。つまり、各画素がマルチパス印字の際に先のパスで打たれるべきか（用紙上に先に形成するべき画素か）、後のパスで打たれるべきか（用紙上に後に形成されるべき画素か）を決定する。また、マルチパス印字生成部２０６は、マスクパターン生成部２０５が生成したマスクパターンを用いて、プリントヘッド４に与えるデータの印字率を制御する。マルチパス印字データ生成部２０６は、マルチパス印字データを生成し、生成したマルチパス印字データをプリントヘッド駆動部３へ出力する。なお、マルチパス記録の走査回数は偶数であると良い。これは記録用紙上の各走査記録領域における印字が、常に同じヘッドの印字方向から開始できることにより印字色順が変わることが無いため、色むらなどの発生を避ける目的のために有効である。また、各プリントヘッド４を分割するブロック数は、各プリントヘッドのノズルの数を走査回数で割った数であるとよい。
【００４６】
プリントヘッド駆動部３は、マルチパス印字データ生成部２０６から供給される印字データの色成分のビット値に基づいてその色成分に対応したインクヘッド４ａ〜４ｄのオン／オフ駆動制御を行う。プリントヘッド４は、４つのインクヘッド、即ち、黒インク（Ｋ）を吐出する黒インクヘッド４ａ、イエローインク（Ｙ）を吐出するイエローインクヘッド４ｂ、マゼンタインク（Ｍ）を吐出するマゼンタインクヘッド４ｃ及びシアンインクを吐出するシアンインクヘッド４ｄを有し、プリントヘッド駆動部３により駆動が制御される。第１実施例では、相対的に浸透速度の遅い黒インクと相対的に浸透速度の速いカラーインクを用いている。
【００４７】
モータ駆動部５は、ＣＰＵ３０に制御され、紙送りモータ６及びキャリッジモータ７の駆動を制御する。紙送りモータ６は、記録紙を移動するためのものである。キャリッジモータ７は、プリントヘッド４を移動させるためのものである。
【００４８】
次に、領域検出部２０３ａが行う画像データの領域検出について説明する。図２は、領域検出部２０３ａによる画素データの領域検出を説明するための図であり、同図(ａ)は入力画像を示す図、同図（ｂ）は画素変換及び情報付加の対象領域の例を示す図である。同図（ａ）において、符号１０は黒インクの印字領域、１１はカラーインクの印字領域をそれぞれ示している。
【００４９】
同図（ｂ）において、符号２０は黒画像内部領域、２１は黒画像境界領域、２２はカラー画像内部領域、２３はカラー画像境界領域をそれぞれ示している。黒画像内部領域２０及び黒画像境界領域２１が黒インクの印字領域１０に、カラー画像内部領域２２及びカラー画像境界領域２３がカラーインクの印字領域１１にそれぞれ対応する。
【００５０】
領域検出部２０３ａは、ｎ値化部２０２からの印字データに基づいて黒インク（Ｋ）の印字領域とカラーインク（Ｃ、Ｍ、Ｙ）の印字領域の境界部に属する黒画像境界領域２１とカラー画像境界領域２３とを検出する。ここで、黒画像境界領域２１は、カラーインクの印字領域１１に接する黒インクの所定印字領域であり、図２に示す例では、カラーインクを着滴させるべき画素から２画素以内の黒インクを着滴させるべき画素郡である。
【００５１】
また、カラー画像境界領域２３は、黒インクの印字領域１０に接するカラーインクの所定印字領域であり、例えば黒インクを着滴させるべき画素から２画素以内のカラーインクを着滴させるべき画素郡である。このように、領域検出部２０３ａは、黒画像境界領域２１とカラー画像境界領域２３とを検出して、黒インクとカラーインクの境界領域における滲みを防止する。
【００５２】
次に、図３及び図４を用いて、画素変換２３ｂが行う画素変換を説明する。図３は画素変換のためのテーブルである。画素変換部２０３ｂは、図３に示すような変換規則を示すテーブルを参照して、領域検出部２１で検出された黒画像内部領域２０、黒画像境界領域２１、カラー画像内部領域２２、カラー画像境界領域２３の画素変換を行う。また、画素変換部２０３ｂは、印字の際に画素変換に必要な情報を付加情報として印字データに埋め込む。
【００５３】
具体的には、黒画像内部領域２０では、黒画素を間引いて、カラー画素の追加を行い、黒画像境界領域２１では、黒画素を間引いて、カラー画素の追加を行い、カラー画像内部領域２２では、通常印字を行うために、黒画素やカラー画素の変換を行わず、カラー画像境界領域２３では、カラー画素の間引きを行う。上記以外の領域（記号２４）では、通常印字を行うために、黒画素及びカラー画素の変換を行わない。
【００５４】
図４は、画素変換例を示す図であり、同図（ａ）は入力画像データを示す図、同図（ｂ）は画素変換後の画像データを示す図である。同図（ａ）において、符号１０は黒インクの印字領域、１１はカラーインクの印字領域をそれぞれ示している。同図（ｂ）において、符号２０は黒画像内部領域、２１は黒画像境界領域、２２はカラー画像内部領域、２３はカラー画像境界領域をそれぞれ示している。
【００５５】
黒画像内部領域２０では、黒画素２０ａを間引いて、間引いた画素にカラー画素２０ｂの追加を行い、黒インクの乾燥性を向上させてインク滲みを防止する。黒画像境界領域２１では、画素２１ａの間引きを行い、間引いた画素にカラー画素２１ｂを追加して、黒インクの乾燥性を向上させてインク滲みを防止する。カラー画像境界領域２３に含まれる画素の間引きを行う。このように、領域毎に画素変換を行うことにより黒インクとカラーインクの滲みを防止することができる。
【００５６】
次に、図５及び図６を用いて、マルチパス印字データ生成部２０６が生成するマルチパス印字データについて説明する。第１実施例では、各記録画像領域を記録ヘッド２回の走査で形成する２パス記録方式を採っている。図５は、第１実施例の印字順序を決定するためのテーブルを示す図である。図５において、入力画素データの各値はデータ値を示しており、入力画素データは、黒画像内部領域２０、黒画像境界領域２１は、黒画素で形成され、カラー画像内部領域２２、カラー画像境界領域２３はカラー画素で形成されている。
【００５７】
マルチパス印字データ生成部２０６は、記録データ格納部２０４から入力画素データを受け取ると、図５に示したテーブルを参照して、各画素がマルチパス印字の際に先のパスで打たれるべきか又は後のパスで打たれるべきかを以下のように決定する。また、上記２２から２３いずれの領域とも判定されない領域２４については、印字パス順序を特に規定しない通常のマルチパス印字を行う。
【００５８】
黒画像内部領域２０では、カラー画素を先の走査で打ち込み（「１１」）、黒画素を後の走査で打ち込む（「１１」）。黒画像境界領域２１では、黒画素を先の走査で打ち込む（「１０」）。カラー画像内部領域２２では、付加情報に基づく印字制御は行わない。カラー画像境界領域２３では、カラー画素を後の走査で打ち込む（「１０」）。また、上記以外の領域２４では付加情報に基づく印字制御は行わない。
【００５９】
このように、相対的に、浸透速度の遅い黒インクと相対的に浸透速度の速いカラーインクを用いた場合、黒インクとカラーインクが隣接するような印字領域では、黒インクを先に印字し、十分な浸透および乾燥時間を置いた後、隣接するカラーインクを印字することにより、滲みの発生が軽減される。また、黒インクの面積が大きい印字領域では、黒インクを印字する前に、浸透性の高いカラーインクを印字することにより、黒インクの乾燥性（定着性）を高めることができる。
【００６０】
マルチパス印字生成部２６は、各領域の印字順序を決定すると、次にプリントヘッドの印字率を設定する。図６はマルチパス印字におけるプリントヘッドの印字率の設定例を示す図である。図６において、プリントヘッド４のノズルは１〜Ｎ番目まであるものとしている。
【００６１】
マルチパルス印字生成部６ｂは、１回目の走査で、プリントヘッド４のノズルの内の１〜Ｎ／２番目までのノズルを使って、半分の領域にインクを打ち込むようにし、２回目の走査で、プリントヘッド４のノズルの内の（Ｎ／２）＋１〜Ｎ番目までのノズルを使って、同領域にインクを打ち込むように、プリントヘッド４の印字率を設定する。
【００６２】
図６において、「０％」はそのときの走査でその領域を印字しないことを示しており、「１００％」はそのときの走査でその領域の全ての画素を印字することを示しており、「５０％」は２回の走査で画像が完全に補完されるよう構成されたマスクパターンの対であり、そのときの１走査でその領域を半分に間引いて印字することを示している。なお、間引き率についてはマスクパターン生成部２０５が生成するマスクパターンに従って決定する。
【００６３】
黒画像内部領域２０では、１回目の走査で、プリントヘッド４の１〜Ｎ／２番目までのノズルを使って、カラーインクを打ち込み、２回目の走査で、プリントヘッド４の（Ｎ／２）＋１〜Ｎ番目のノズルを使って、黒インクの打ち込むようプリントヘッド４の印字率を設定する。
【００６４】
黒画像境界領域２１では、１回目の走査で、プリントヘッド４の１〜Ｎ／２番目までのノズルを使って、黒インクを打ち込むようにプリントヘッド４の印字率を設定する。カラー画像境界領域２３では、１回目の走査で、インクの打ち込みは行わず、２回目の走査で、プリントヘッド４の（Ｎ／２）＋１〜Ｎ番目のノズルを使って、カラーインクを打ち込むようにプリントヘッド４の印字率を設定する。
【００６５】
カラー画像内部領域２２では、１回目の走査で、プリントヘッド４の内の１〜Ｎ／２番目までのノズルを使って、１／２に間引いてカラーインクを打ち込み、２回目の走査で、プリントヘッド４の（Ｎ／２）＋１〜Ｎ番目のノズルを使って、カラーインクを打ち込むようにプリントヘッド４の印字率を設定する。
【００６６】
次に、マルチパス印字データに基づく記録動作について説明する。図７は第１実施例におけるマルチパス印字データに基づく記録動作を説明するための図であり、同図（ａ）は元画像データを示す図、同図（ｂ）は従来技術による２パス印字時の画素形成をパスごとに示す図、同図（ｃ）は第１実施例における画像形成過程を示す図である。なお、図７に示す例では、プリントヘッド４のノズル数が１８個である場合を例にとって説明する。従って、図６においてＮ＝１８となる場合の例である。ここで、上記黒とカラーの境界領域あるいは内部領域のいずれにも該当しないその他の領域（２４：図示せず）については、情報付加および画素変換のいずれも行うことなく、従来例と同様のマルチパス印字を行うことになり、以下の説明においても同様である。
【００６７】
図７（ａ）において、符号２０は黒画像内部領域、２１は黒画像境界領域、２２はカラー画像内部領域、２３はカラー画像境界領域をそれぞれ示している。図７（ｂ）に示すように、従来、黒画像内部領域２０及び黒画像境界領域では、１回目の走査（パス１）で、プリントヘッド４の１〜９番目までのノズルを使って、マスクパターンを用いて、上半分の領域に黒インクを打ち込む。
【００６８】
カラー画像内部領域２２及びカラー画像境界領域２３では、１回目の走査で、プリントヘッド４の１〜９番目までのノズルを使って、マスクパターンを用いて、上半分の領域にカラーインクを打ち込む。
【００６９】
次に、紙送りモータ６で副走査方向に記録紙を搬送させる。その後、黒画像内部領域２０及び黒画像境界領域では、２回目の走査（パス２）で、１回目の走査とは反対方向にプリントヘッド４の１０〜１８番目までのノズルを使って、マスクパターンを用いて、上半分の領域に黒インクを打ち込み、同領域の画像を完成させる。この時、同時にプリントヘッド４の１〜９番目までのノズルを使って、マスクパターンを用いて、下半分の領域に黒インクを打ち込む。
【００７０】
また、カラー画像内部領域２２及びカラー画像境界領域２３では、２回目の走査で、プリントヘッド４の１０〜１８番目までのノズルを使って、マスクパターンを用いて、上半分の領域にカラーインクを打ち込み、同領域の画像を完成させる。この時、同時にプリントヘッド４の１〜９番目までのノズルを使って、マスクパターンを用いて、下半分の領域にカラーインクを打ち込む。
【００７１】
次に、紙送りモータ６で副走査方向に記録紙を搬送させる。その後、黒画像内部領域２０及び黒画像境界領域２１では、３回目の走査（パス３）で１回目の走査と同一方向にプリントヘッド４の１０〜１８番目までのノズルを使って、マスクパターンを用いて、下半分の領域に黒インクを打ち込み、同領域の画像を完成させる。
【００７２】
カラー画像内部領域２２及びカラー画像境界領域２３では、３回目の走査で、プリントヘッド４の１０〜１８番目のノズルを使って、マスクパターンを用いて、下半分の領域にカラーインクを打ち込み、同領域の画像を完成させる。しかし、この従来例では、黒画像境界領域２１とカラー画像境界領域２３を同一の走査で形成しているため、黒インクとカラーインクとが滲んでしまう。
【００７３】
図７（ｃ）に示すように、第１実施例においては、黒画像内部領域２０では、１回目の走査で、プリントヘッド４の１〜９番目までのノズルを使って、上半分の領域にカラーインクを打ち込む。このとき、同領域に黒インクは打ち込まない。黒画像境界領域２１では、１回目の走査で、プリントヘッド４の１〜９番目までのノズルを使って、上半分の領域に黒インクを打ち込む。
【００７４】
カラー画像内部領域２２では、１回目の走査で、プリントヘッド４の１〜９番目までのノズルを使って、マスクパターンを用いて、上半分の領域にカラーインクを打ち込む。カラー画像境界領域２３では、１回目の走査で全くインクを打ち込まない。このため、境界領域では、黒インクとカラーインクにおけるインク滲みは発生しない。
【００７５】
次に、紙送りモータ６で副走査方向に記録紙を搬送させる。その後、黒画像内部領域２０では、２回目の走査で、１回目の走査とは反対方向にプリントヘッド４の１０〜１８番目までのノズルを使って、上半分の領域に黒インクを打ち込む。この黒画像内部領域２０には先にカラー画素が印字され、インクの浸透性が改善されているので、黒インクの乾燥・定着性が著しく改善される。また、この時、同時に、プリントヘッド４の１〜９番目のノズルで、下半分の領域にカラーインクを打ち込む。
【００７６】
黒画像境界領域２１では、２回目の走査で、プリントヘッド４の１〜９番目のノズルで、下半分の領域に黒インクを打ち込む。カラー画像内部領域２２では、２回目の走査で、プリントヘッド４の１０〜１８番目のノズルで、マスクパターンを用いて、上半分の領域にカラーインクを打ち込む。この時、同時に、プリントヘッド４の１〜９番目のノズルで、マスクパターンを用いて、下半分の領域にカラーインクを打ち込む。
【００７７】
また、カラー画像境界領域２３では、２回目の走査で、プリントヘッド４の１０〜１８番目のノズルで、上半分の領域にカラーインクを打ち込む。隣接する黒画像境界領域２１は既に１回目の走査で形成されているため、隣接するカラーインクによる滲みを抑制することが出来る。
【００７８】
次に、紙送りモータ６で副走査方向に記録紙を搬送させる。その後、黒画像内部領域２０では、３回目の走査で１回目の走査と同一方向にプリントヘッド４の１０〜１８番目までのノズルで、下半分の領域に黒インクを打ち込む。この黒画像内部領域２０では先にカラー画素が印字され、インクの浸透性が改善されているので、黒インクの乾燥・定着性が著しく改善される。
【００７９】
カラー画像内部領域２２では、３回目の走査で、プリントヘッド４の１０〜１８番目のノズルで、マスクパターンを用いて、下半分の領域にカラーインクを打ち込む。カラー画像境界領域２３では、３回目の走査で、プリントヘッド４の１０〜１８番目のノズルで、下半分の領域にカラーインクを打ち込む。
【００８０】
第１実施例によれば、境界部の所定領域に位置するカラー画像領域を記録する走査を、黒画像領域を記録する走査よりも後の走査で行うようにしたので、黒インクを記録してからカラーインクを記録するまでの時間間隔を設けることができるため、黒インクとカラーインクによる滲みを抑制することができる。また、マルチパス印字は通常通り行われるので、印字スピードが低下することはない。また、従来問題となっていた画素変換処理による画像劣化を引き起こすこともない。
【００８１】
また、黒画像領域の所定領域は、黒インクを記録する前に、黒インクを記録する箇所に対しカラーインクを記録するようにしたので、インクの浸透性が良くなり、黒インクの乾燥性、定着性を改善することができる。また、カラーインクを記録する走査は、黒画像領域の所定領域を黒インクで記録する走査よりも先の走査で行われるので、黒インクの乾燥性を改善することができるため、滲みを防止することができる。
【００８２】
なお、図７では画素変換による操作は黒画像内部領域２０のカラー画素追加のみを例示したが、カラー画像境界領域における間引きなどを必要に応じて行うようにすることにより、最適化が可能である。また、ここでマルチパス印字データは領域情報に基づいて付加されているので、先打ち後打ちの打ち分けが必要ない領域データには何ら変更が無いため、必要以上にプリントヘッド４内の噴射ノズルの噴射頻度にはほとんど偏りをもたらさない。
【実施例２】
【００８３】
次に、第２実施例について説明する。第２実施例は、第１実施例と動作のみ異なるものであるため、第１実施例で説明したカラーインクジェット記録装置１を用いて説明する。第２実施例では、第１実施例と同様に、相対的に浸透速度の遅い黒インクと相対的に浸透速度の速いカラーインクを用いた例について説明する。まず、図８及び図９を用いて、マルチパス印字データ生成部２０６が生成するマルチパス印字データについて説明する。第２実施例では、各記録画像領域をプリントヘッド４回の走査で形成する４パス記録方式を採っている。
【００８４】
図８は、印字順序を決定するためのテーブルである。図８において、入力画素データの各値はデータ値を示しており、入力画素データは、黒画像内部領域２０、黒画像境界領域２１は、黒画素で形成され、カラー画像内部領域２２、カラー画像境界領域２３はカラー画素で形成されている。
【００８５】
マルチパス印字データ生成部２０６は、記録データ格納部２０４から入力画素データを受け取ると、図８に示したテーブルを参照して、各画素がマルチパス印字の際に先のパスで打たれるべきか又は後のパスで打たれるべきかを以下のように決定する。
【００８６】
黒画像内部領域２０では、カラー画素を先の走査で打ち込み（「１１」）、黒画素を後の走査で打ち込む（「１１」）。黒画像境界領域２１では、黒画素を先の走査で打ち込む（「１０」）。カラー画像内部領域２２では、付加情報に基づく印字制御は行わない。カラー画像境界領域２３では、カラー画像を後の走査で打ち込む（「１０」）。
【００８７】
このように、相対的に、浸透速度の遅い黒インクと相対的に浸透速度の速いカラーインクを用いた場合、黒インクとカラーインクが隣接するような印字領域では、黒インクを先に印字し、十分な浸透および乾燥時間を置いた後、隣接するカラーインクを印字することにより、滲みの発生が軽減される。また、黒インクの面積が大きい印字領域では、黒インクを印字する前に、浸透性の高いカラーインクを印字することにより、黒インクの乾燥性（定着性）を高めることができる。
【００８８】
マルチパス印字生成部２６は、各領域の印字順序を決定すると、次にプリントヘッドの印字率を設定する。図９はマルチパス印字におけるプリントヘッドの印字率の設定例を示す図である。マルチパルス印字生成部６ｂは、１回目の走査で、プリントヘッド４の１〜Ｎ／４番目までのノズルを使って、１／４の領域にインクを打ち込むようにし、２回目の走査で、プリントヘッド４の（Ｎ／４）＋１〜Ｎ／２番目までのノズルを使って、同領域にインクを打ち込むようにし、３回目の走査で、プリントヘッド４の（Ｎ／２）＋１〜Ｎ×３／４番目までのノズルを使って、同領域にインクを打ち込むようにし、４回目の走査で、プリントヘッド４の（Ｎ×３／４）＋１〜Ｎ番目までのノズルを使って、同領域にインクを打ち込むようにし、プリントヘッド４の印字率を設定する。
【００８９】
図９において、「０％」はそのときの走査でその領域を印字しないことを示しており、「５０％」はそのときの走査でその領域を半分に間引いて印字することを示しており、「２５％」は４回の走査で画像が完全に補完されるよう構成されたマスクパターンの組であり、そのときの走査でその領域を１／４に間引いて印字することを示している。なお、間引き率についてはマスクパターン生成部２０５が生成するマスクパターンに従って決定する。
【００９０】
領域毎に見ると、黒画像内部領域２０では、１回目の走査で、プリントヘッド４の１〜Ｎ／４番目までのノズルを使って、１／４の領域を２５％に間引いてカラーインクを打ち込み、２回目の走査で、プリントヘッド４の（Ｎ／４）＋１〜Ｎ／２までのノズルを使って、同領域を２５％に間引いてカラーインクを打ち込み、３回目の走査で、プリントヘッド４の（Ｎ／２）＋１〜Ｎ×３／４番目までのノズルを使って、同領域を２５％に間引いて黒インクを打ち込み、４回目の走査で、プリントヘッド４の（Ｎ×３／４）＋１〜Ｎ番目までのノズルを使って、同領域を２５％に間引いて黒インクを打ち込むようにプリントヘッド４の印字率を設定する。
【００９１】
黒画像境界領域２１では、１回目の走査で、プリントヘッド４の１〜Ｎ／４までのノズルを使って、１／４の領域を２５％に間引いて黒インクを打ち込み、２回目の走査で、プリントヘッド４の（Ｎ／４）＋１〜Ｎ／２までのノズルを使って、同領域を２５％に間引いて黒インクを打ち込むようにプリントヘッド４の印字率を設定する。
【００９２】
カラー画像境界領域２３では、１回目の走査及び２回目の走査では、カラーインクの打ち込みを行わず、３回目の走査で、プリントヘッド４の（Ｎ／２）＋１〜Ｎ×３／４番目までのノズルを使って、１／４の領域を５０％に間引いてカラーインクを打ち込み、４回目の走査で、プリントヘッド４の（Ｎ×３／４）＋１〜Ｎ番目までのノズルを使って、同領域を５０％に間引いてカラーインクの打ち込むようにプリントヘッド４の印字率を設定する。
【００９３】
カラー画像内部領域２３では、１回目の走査で、プリントヘッド４の１〜Ｎ／４番目までのノズルを使って、１／４の領域を２５％に間引いてカラーインクを打ち込み、２回目の走査で、プリントヘッド４の（Ｎ／４）＋１〜Ｎ／２番目までのノズルを使って、同領域を２５％に間引いてカラーインクを打ち込み、３回目の走査で、プリントヘッド４の（Ｎ／２）＋１〜Ｎ×３／４番目までのノズルを使って、同領域を２５％に間引いてカラーインクを打ち込み、４回目の走査で、プリントヘッド４の（Ｎ×３／４）＋１〜Ｎ番目までのノズルを使って、同領域を２５％に間引いてカラーインクを打ち込むようにプリントヘッド４の印字率を設定する。
【００９４】
次に、マルチパス印字データに基づく記録動作について説明する。図１０は、第２実施例におけるマルチパス印字データに基づく記録動作を説明するための図であり、同図（ａ）は元画像データ、同図（ｂ）は従来技術による４パス印字時の画像形成をパスごとに示す図、同図（ｃ）は第２実施例における画像形成過程を示す図である。なお、図１０に示す例では、プリントヘッド４のノズル数が２０個である場合を例にとって説明する。従って、図９においてＮ＝２０となる場合の例である。
【００９５】
図１０（ａ）において、符号２０は黒画像内部領域、２１は黒画像境界領域、２２はカラー画像内部領域、２３はカラー画像境界領域をそれぞれ示している。図１０（ｂ）において、従来、黒画像境界領域２１では、１回目の走査（パス１）で、プリントヘッド４の１〜５番目までのノズルを使って、マスクパターンを用いて、上から１／４の領域に黒インクを打ち込む。
【００９６】
カラー画像内部領域２２では、１回目の走査で、プリントヘッド４の１〜５番目までのノズルを使って、マスクパターンを用いて、上から１／４の領域にカラーインクを打ち込む。カラー画像境界領域２３では、１回目の走査で、プリントヘッド４の１〜５番目までのノズルを使って、マスクパターンを用いて、上から１／４の領域にカラーインクを打ち込む。
【００９７】
次に、紙送りモータ６で副走査方向に記録紙を搬送させる。その後、黒画像内部領域２０では、２回目の走査（パス２）で、１回目の走査とは反対方向にプリントヘッド４の１〜５番目までのノズルを使って、マスクパターンを用いて、上から２／４の領域に黒インクを打ち込む。
【００９８】
黒画像境界領域２１では、２回目の走査で、プリントヘッド４の１〜５番目までのノズルを使って、マスクパターンを用いて、上から２／４の領域に黒インクを打ち込む。カラー画像内部領域２２では、２回目の走査で、プリントヘッド４の６〜１０番目までのノズルを使って、マスクパターンを用いて、上から１／４の領域にカラーインクを打ち込む。この時、同時にプリントヘッド４の１〜５番目までのノズルを使って、マスクパターンを用いて、上から２／４の領域にカラーインクを打ち込む。
【００９９】
カラー画像境界領域２３では、２回目の走査で、プリントヘッド４の６〜１０番目までのノズルを使って、マスクパターンを用いて、上から１／４の領域にカラーインクを打ち込む。この時、同時にプリントヘッド４の１〜５番目までのノズルを使って、マスクパターンを用いて、上から２／４の領域にカラーインクを打ち込む。
【０１００】
次に、紙送りモータ６で副走査方向に記録紙を搬送させる。その後、黒画像内部領域２０では、３回目の走査（３パス）で、１回目の走査と同一方向に、プリントヘッド４の６〜１０番目のノズルを使って、マスクパターンを用いて、上から２／４の領域に黒インクを打ち込む。この時、同時にプリントヘッド４の１〜５番目のノズルを使って、マスクパターンを用いて、上から３／４の領域に黒インクを打ち込む。
【０１０１】
黒画像境界領域２１では、３回目の走査で、プリントヘッド４の１１〜１５番目までのノズルを使って、マスクパターンを用いて、上から１／４の領域に黒インクを打ち込む。この時、同時に、プリントヘッド４の６〜１０番目までのノズルを使って、マスクパターンを用いて、上から２／４の領域に黒インクを打ち込み、プリントヘッド４の１〜５番目までのノズルを使って、マスクパターンを用いて、上から３／４の領域に黒インクを打ち込む。
【０１０２】
カラー画像内部領域２２では、３回目の走査で、プリントヘッド４の１１〜１５番目までのノズルを使って、マスクパターンを用いて、上から１／４の領域にカラーインクを打ち込む。この時、同時にプリントヘッド４の６〜１０番目までのノズルを使って、マスクパターンを用いて、上から２／４の領域にカラーインクを打ち込み、プリントヘッド４の１〜５番目までのノズルを使って、マスクパターンを用いて、上から３／４の領域にカラーインクを打ち込む。
【０１０３】
カラー画像境界領域２３では、３回目の走査で、プリントヘッド４の１１〜１５番目までのノズルを使って、マスクパターンを用いて、上から１／４の領域にカラーインクを打ち込む。この時、同時に、プリントヘッド４の６〜１０番目までのノズルを使って、マスクパターンを用いて、上から２／４の領域にカラーインクを打ち込み、プリントヘッド４の１〜５番目までのノズルを使って、マスクパターンを用いて、上から３／４の領域にカラーインクを打ち込む。
【０１０４】
次に、紙送りモータ６で副走査方向に記録紙を搬送させる。その後、黒画像内部領域２０では、４回目の走査（パス４）で、１回目の走査とは反対方向にプリントヘッド４の１１〜１５番目までのノズルを使って、マスクパターンを用いて、上から２／４の領域に黒インクを打ち込み、プリントヘッド４の６〜１０番目までのノズルを使って、マスクパターンを用いて、上から３／４の領域に黒インクを打ち込む。
【０１０５】
黒画像境界領域２１では、４回目の走査で、プリントヘッド４の１１〜１５番目までのノズルを使って、マスクパターンを用いて、上から２／４の領域に黒インクを打ち込み、プリントヘッド４の６〜１０番目のノズルを使って、マスクパターンを用いて、上から３／４の領域に黒インクを打ち込む。
【０１０６】
カラー画像内部領域２２では、４回目の走査で、プリントヘッド４の１６〜２０番目までのノズルを使って、マスクパターンを用いて、上から１／４の領域にカラーインクを打ち込み、プリントヘッド４の１１〜１５番目までのノズルを使って、マスクパターンを用いて上から２／４の領域にカラーインクを打ち込み、プリントヘッド４の６〜１０番目までのノズルで、マスクパターンを用いて上から３／４の領域にカラーインクを打ち込み、プリントヘッド４の１〜５番目までのノズルを使って、マスクパターンを用いて、上から４／４の領域にカラーインクを打ち込む。
【０１０７】
カラー画像境界領域２３では、４回目の走査で、プリントヘッド４のから１６〜１０番目までのノズルを使って、マスクパターンを用いて、上１／４の領域にカラーインクを打ち込み、プリントヘッド４の１１〜１５番目までのノズルを使って、マスクパターンを用いて、上から２／４の領域にカラーインクを打ち込み、プリントヘッド４の６〜１０番目までのノズルを使って、マスクパターンを用いて、上から３／４の領域にカラーインクを打ち込み、プリントヘッド４の１〜５番目までのノズルを使って、マスクパターンを用いて、上から４／４の領域にカラーインクを打ち込む。
【０１０８】
次に、紙送りモータ６で副走査方向に記録紙を搬送させる。その後、黒画像内部領域２０では、５回目の走査（パス５）で、１回目の走査とは同一方向にプリントヘッド４の１６〜２０番目までのノズルを使って、マスクパターンを用いて、上から２／４の領域に黒インクを打ち込み、プリントヘッド４の１１〜１５番目までのノズルを使って、マスクパターンを用いて、上から３／４の領域に黒インクを打ち込む。
【０１０９】
黒画像境界領域２１では、５回目の走査で、プリントヘッド４の１６〜２０番目までのノズルを使って、マスクパターンを用いて、上から２／４の領域に黒インクを打ち込み、プリントヘッド４の１１〜１５番目までのノズルを使って、マスクパターンを用いて、上から３／４の領域に黒インクを打ち込み、プリントヘッド４の６〜１０番目までのノズルを使って、マスクパターンを用いて、上から４／４の領域に黒インクを打ち込む。
【０１１０】
カラー画像内部領域２２では、５回目の走査で、プリントヘッド４の１６〜２０番目までのノズルを使って、マスクパターンを用いて、上から２／４の領域にカラーインクを打ち込み、プリントヘッド４の１１〜１５番目までのノズルを使って、マスクパターンを用いて、上から３／４の領域にカラーインクを打ち込み、プリントヘッド４の６〜１０番目までのノズルを使って、マスクパターンを用いて、上から４／４の領域にカラーインクを打ち込む。
【０１１１】
カラー画像境界領域２３では、５回目の走査で、プリントヘッド４の１６〜２０番目までのノズルを使って、マスクパターンを用いて、上から２／４の領域にカラーインクを打ち込み、プリントヘッド４の１１〜１５番目までのノズルを使って、マスクパターンを用いて、上から３／４の領域にカラーインクを打ち込み、プリントヘッド４の６〜１０番目までのノズルを使って、マスクパターンを用いて、上から４／４の領域にカラーインクを打ち込む。
【０１１２】
次に、紙送りモータ６で副走査方向に記録紙を搬送させる。その後、黒画像内部領域２０では、６回目の走査（パス６）で、１回目の走査とは反対方向にプリントヘッド４の１６〜２０番目までのノズルを使って、マスクパターンを用いて、上から３／４の領域に黒インクを打ち込む。黒画像境界領域２１では、６回目の走査で、プリントヘッド４の１６〜２０番目までのノズルを使って、マスクパターンを用いて、上から３／４の領域に黒インクを打ち込む。
【０１１３】
カラー画像内部領域２２では、６回目の走査で、プリントヘッド４の１６〜２０番目までのノズルを使って、マスクパターンを用いて、上から３／４の領域にカラーインクを打ち込み、プリントヘッド４の１１〜１５番目までのノズルを使って、マスクパターンを用いて、上から４／４の領域にカラーインクを打ち込む。カラー画像境界領域２３では、６回目の走査で、プリントヘッド４の１６〜２０番目までのノズルを使って、マスクパターンを用いて、上から３／４の領域にカラーインクを打ち込み、プリントヘッド４の１１〜１５番目までのノズルを使って、マスクパターンを用いて、上から４／４の領域にカラーインクを打ち込む。
【０１１４】
次に、紙送りモータ６で副走査方向に記録紙を搬送させる。その後、黒画像境界領域２１では、７回目の走査で、プリントヘッド４の１６〜２０番目までのノズルを使って、マスクパターンを用いて、上から４／４の領域に黒インクを打ち込む。カラー画像内部領域２２では、７回目の走査で、プリントヘッド４の１６〜２０番目までのノズルを使って、マスクパターンを用いて、上から４／４の領域にカラーインクを打ち込む。
【０１１５】
カラー画像境界領域２３では、７回目の走査で、プリントヘッド４の１６〜２０番目までのノズルを使って、マスクパターンを用いて、上から４／４の領域にカラーインクを打ち込み、画像が形成される。しかし、この従来では、黒画像境界領域２１とカラー画像境界領域２３を同一走査で形成しているため、インクが滲んでしまうという問題がある。
【０１１６】
第２実施例では、以下のように画像を形成していインクが滲むのを防止している。図１０（Ｃ）のに示すように、黒画像境界領域２１では、１回目の走査で、プリントヘッド４の１〜５番目までのノズルを使って、マスクパターンを用いて、上から１／４の領域に黒インクを打ち込む。カラー画像内部領域２２では、１回目の走査で、プリントヘッド４の１〜５番目までのノズルを使って、マスクパターンを用いて、上から１／４の領域にカラーインクを打ち込む。カラー画像境界領域２３では、１回目の走査で、カラーインクの打ち込みは行わない。
【０１１７】
次に、紙送りモータ６で副走査方向に記録紙を搬送させる。その後、黒画像内部領域２０では、２回目の走査で、１回目の走査とは反対方向にプリントヘッド４の１〜５番目までのノズルを使って、マスクパターンを用いて、上から２／４の領域にカラーインクを打ち込む。黒画像境界領域２１では、２回目の走査で、プリントヘッド４の６〜１０番目までのノズルを使って、マスクパターンを用いて、上から１／４の領域に黒インクを打ち込む。この時、同時にプリントヘッド４の１〜５番目までのノズルを使って、マスクパターンを用いて、上から２／４の領域に黒インクを打ち込む。
【０１１８】
カラー画像内部領域２２では、２回目の走査で、プリントヘッド４の６〜１０番目までのノズルを使って、マスクパターンを用いて、上から１／４の領域にカラーインクを打ち込む。この時、同時にプリントヘッド４の１〜５番目までのノズルを使って、マスクパターンを用いて、上から２／４の領域にカラーインクを打ち込む。
【０１１９】
カラー画像境界領域では、２回目の走査で、カラーインクを打ち込まない。次に、紙送りモータ６で副走査方向に記録紙を搬送させる。その後、黒画像内部領域２０では、３回目の走査で、１回目の走査と同一方向に、プリントヘッド４の６〜１０番目までのノズルを使って、マスクパターンを用いて、上から２／４の領域にカラーインクを打ち込む。この時、同時にプリントヘッド４の１〜５番目までのノズルを使って、マスクパターンを用いて、上から３／４の領域にカラーインクを打ち込む。
【０１２０】
黒画像境界領域２１では、３回目の走査で、プリントヘッド４の６〜１０番目までのノズルを使って、マスクパターンを用いて、上から２／４の領域に黒インクを打ち込む。この時、同時に、プリントヘッド４の１〜５番目までのノズルを使って、マスクパターンを用いて、上から３／４の領域に黒インクを打ち込む。
【０１２１】
カラー画像内部領域２２では、３回目の走査で、プリントヘッド４の１１〜１５番目までのノズルを使って、マスクパターンを用いて、上から１／４の領域にカラーインクを打ち込む。この時、同時にプリントヘッド４の６〜１０番目までのノズルを使って、マスクパターンを用いて、上から２／４の領域にカラーインクを打ち込み、プリントヘッド４の１〜５番目までのノズルを使って、マスクパターンを用いて、上から３／４の領域にカラーインクを打ち込む。カラー画像境界領域２３では、３回目の走査で、プリントヘッド４の１１〜１５までのノズルを使って、マスクパターンを用いて、上１／４の領域にカラーインクを打ち込む。
【０１２２】
次に、紙送りモータ６で副走査方向に記録紙を搬送させる。その後、黒画像内部領域２０では、４回目の走査で、１回目の走査とは反対方向にプリントヘッド４の１１〜１５番目までのノズルを使って、マスクパターンを用いて、上から２／４の領域に黒インクを打ち込み、プリントヘッド４の６〜１０番目のノズルを使って、マスクパターンを用いて、上から３／４の領域にカラーインクを打ち込む。
【０１２３】
黒画像境界領域２１では、４回目の走査で、プリントヘッド４の６〜１０番目までのノズルを使って、マスクパターンを用いて、上から３／４の領域に黒インクを打ち込む。カラー画像内部領域２２では、４回目の走査で、プリントヘッド４の１６〜２０番目のノズルを使って、マスクパターンを用いて、上から１／４の領域にカラーインクを打ち込み、プリントヘッド４の１１〜１５番目までのノズルを使って、マスクパターンを用いて、上から２／４の領域にカラーインクを打ち込み、プリントヘッド４の６〜１０番目までのノズルを使って、マスクパターンを用いて、上から３／４の領域にカラーインクを打ち込み、プリントヘッド４の１〜５番目までのノズルを使って、マスクパターンを用いて、上から４／４の領域にカラーインクを打ち込む。
【０１２４】
カラー画像境界領域２３では、４回目の走査で、プリントヘッド４の１６〜２０番目のノズルを使って、マスクパターンを用いて、上１／４の領域にカラーインクを打ち込み、プリントヘッド４の１１〜１５番目までのノズルを使って、マスクパターンを用いて、上から２／４の領域にカラーインクを打ち込む。
【０１２５】
次に、紙送りモータ６で副走査方向に記録紙を搬送させる。その後、黒画像内部領域２０では、５回目の走査で、１回目の走査とは同一方向にプリントヘッド４の１６〜２０番目までのノズルを使って、マスクパターンを用いて、上から２／４の領域に黒インクを打ち込み、プリントヘッド４の１１〜１５番目までのノズルを使って、マスクパターンを用いて、上から３／４の領域に黒インクを打ち込む。
【０１２６】
黒画像境界領域２１では、５回目の走査で、プリントヘッド４の６〜１０番目までのノズルを使って、マスクパターンを用いて、上から４／４の領域に黒インクを打ち込む。カラー画像内部領域２２では、５回目の走査で、プリントヘッド４の１６〜２０番目までのノズルを使って、マスクパターンを用いて、上から２／４の領域にカラーインクを打ち込み、プリントヘッド４の１１〜１５番目までのノズルを使って、マスクパターンを用いて、上から３／４の領域にカラーインクを打ち込み、プリントヘッド４の６〜１０番目までのノズルを使って、マスクパターンを用いて、上から４／４の領域にカラーインクを打ち込む。
【０１２７】
カラー画像境界領域２３では、５回目の走査で、プリントヘッド４の１６〜２０番目までのノズルを使って、マスクパターンを用いて、上から２／４の領域にカラーインクを打ち込み、プリントヘッド４の１１〜１５番目のノズルを使って、マスクパターンを用いて、上から３／４の領域にカラーインクを打ち込む。
【０１２８】
次に、紙送りモータ６で副走査方向に記録紙を搬送させる。その後、黒画像内部領域２０では、６回目の走査で、プリントヘッド４の１６〜２０番目までのノズルを使って、マスクパターンを用いて、上から３／４の領域に黒インクを打ち込む。カラー画像内部領域２２では、６回目の走査で、プリントヘッド４の１６〜２０番目までのノズルを使って、マスクパターンを用いて、上から３／４の領域にカラーインクを打ち込み、プリントヘッド４の１１〜１５番目までのノズルを使って、マスクパターンを用いて、上から４／４の領域にカラーインクを打ち込む。
【０１２９】
カラー画像境界領域２３では、６回目の走査で、プリントヘッド４の１６〜２０番目までのノズルを使って、マスクパターンを用いて、上から３／４の領域にカラーインクを打ち込み、プリントヘッド４の１１〜１５番目までのノズルを使って、マスクパターンを用いて、上から４／４の領域にカラーインクを打ち込む。
【０１３０】
次に、紙送りモータ６で副走査方向に記録紙を搬送させる。その後、カラー画像内部領域２２では、７回目の走査で、プリントヘッド４の１６〜２０番目までのノズルを使って、マスクパターンを用いて、上から４／４の領域にカラーインクを打ち込む。カラー画像境界領域２３では、７回目の走査で、プリントヘッド４の１６〜２０番目までのノズルを使って、マスクパターンを用いて、上から４／４の領域にカラーインクを打ち込む。
【０１３１】
第２実施例によれば、黒画像内部領域２０に黒インクを打ち込む前に、２回目の走査、３回目の走査で、カラーインクを先に下打ちするようにしたので、黒インクの乾燥性が向上する。
【０１３２】
また、カラー画像境界領域２３にカラーインクを打ち込む前に、黒画像境界領域２１に黒インクを先の走査で打ち込むようにしたので、黒インクとカラーインク間で発生するインク滲みを防止することができる。また、従来例との比較からもわかるように同一領域の画像を形成するのに同じ走査数しか必要としないため、印字速度を低下させることはない。
【０１３３】
また、各色等幅４ヘッド構成、黒ヘッドと３色一体の２ヘッド構成、黒とカラーヘッドの配置順、又は往復両方向での印字かあるいは片方向での印字か等のようにプリントヘッドの構成及び印字様式等にかかわらず、１ページの印字領域中の全域で均一な効果が得られる。また、黒インクとカラーインクのどちらが先に用紙上に印刷されたかで発生する黒画像内部領域における色目の差については、本実施例では黒画像内部領域２０が常に黒インクとカラーインクが一定の順序で用紙上に形成されるため、スワス（ＳＷＡＴＨ：帯状の印刷された部分）間での色目の差がほとんど発生しない。
【０１３４】
なお、第２実施例はあくまでも一例であって、例えば黒画像内部領域のカラーインクの下打ち有無、黒画素自身の間引きおよび間引き率、先打ち後打ちの間隔等を変更してもよい。
【実施例３】
【０１３５】
次に第３実施例について説明する。第３実施例では、黒インクと相対的に浸透速度の速いカラーインクを用い、かつ黒インクとカラーインク間で化学反応を起こすことにより、滲みや乾燥性（定着性）を向上させるインクを用いた例について説明する。カラーインクには、黒インクと反応性があるカラーインクを用いている。第３実施例では、第１実施例と同様に、各記録画像領域をプリントヘッド２回の走査で形成する２パス記録方式を採っている。
【０１３６】
図１１は、印字順序を決定するためのテーブルを示す図である。図５において、入力画素データの各値はデータ値を示しており、入力画素データは、黒画像内部領域２０、黒画像境界領域２１は、黒画素で形成され、カラー画像内部領域２２、カラー画像境界領域２３はカラー画素で形成されている。マルチパス印字データ生成部２０６は、記録データ格納部２０４から入力画素データを受け取ると、図１１に示したテーブルを参照して、各画素がマルチパス印字の際に先のパスで打たれるべきか又は後のパスで打たれるべきかを以下のように決定する。
【０１３７】
黒画像内部領域２０では、カラー画素を先の走査で打ち込み（「１１」）、黒画素を後の走査で打ち込む（「１１」）。黒画像境界領域２１では、カラー画素を先の走査で打つ込み（「１１」）、黒画素を後の走査で打ち込む（「１１」）。カラー画像内部領域２２及びカラー画像境界領域２３では、付加情報に基づく印字制限は行わない。第３実施例では、黒画素の先打ち及びカラー後打ちによる制御は行わない。
【０１３８】
第３実施例では、黒インクとカラーインク間で化学反応を起こすような特性をもつインクを用いているので、黒インクとカラーインクが隣接する領域および黒画像内部領域で、黒インクより先にカラーインクを用紙上に形成するようにしているため、黒インクの乾燥性（定着性）を高めることができる。マルチパス印字生成部２６は、各領域の印字順序を決定すると、次にプリントヘッドの印字率を設定する。
【０１３９】
図１２は、マルチパス印字におけるプリントヘッドの印字率の設定例を示す図である。図６において、プリントヘッド４のノズルは１〜Ｎ番目まであるものとしている。マルチパルス印字生成部６ｂは、１回目の走査で、プリントヘッド４のノズルの内の１〜Ｎ／２番目までのノズルを使って、半分の領域にインクを打ち込むようにし、２回目の走査で、プリントヘッド４のノズルの内の（Ｎ／２）＋１〜Ｎ番目までのノズルを使って、同領域にインクを打ち込むように、プリントヘッド４の印字率を設定する。
【０１４０】
黒画像内部領域２０では、１回目の走査で、プリントヘッド４の１〜Ｎ／２番目までのノズルを使って、カラーインクを打ち込み、２回目の走査で、プリントヘッド４の（Ｎ／２）＋１〜Ｎ番目のノズルを使って、黒インクの打ち込むようプリントヘッド４の印字率を設定する。黒画像境界領域２１では、１回目の走査で、プリントヘッド４の１〜Ｎ／２番目までのノズルを使って、カラーインクを打ち込み、２回目の走査で、プリントヘッド４の（Ｎ／２）＋１〜Ｎ番目のノズルを使って、黒インクの打ち込むようプリントヘッド４の印字率を設定する。
【０１４１】
カラー画像境界領域２３では、１回目の走査で、プリントヘッド４の１〜Ｎ／２番目までのノズルを使って、カラーインクを打ち込むようにプリントヘッド４の印字率を設定する。カラー画像内部領域２２では、１回目の走査で、プリントヘッド４の内の１〜Ｎ／２番目までのノズルを使って、１／２に間引いてカラーインクを打ち込み、２回目の走査で、プリントヘッド４の（Ｎ／２）＋１〜Ｎ番目のノズルを使って、カラーインクを打ち込むようにプリントヘッド４の印字率を設定する。
【０１４２】
次に、マルチパス印字データに基づく記録動作について説明する。図１３は第３実施例におけるマルチパス印字データに基づく記録動作を説明するための図であり、同図（ａ）は元画像データを示す図、同図（ｂ）は従来技術による２パス印字時の画像形成をパスごとに示す図、同図（ｃ）は第３実施例における画像形成過程を示す図である。
【０１４３】
図１３（ａ）において、符号２０は黒画像内部領域、２１は黒画像境界領域、２２はカラー画像内部領域、２３はカラー画像境界領域をそれぞれ示している。なお、図１３（ｂ）は図７（ｂ）同じ画像形成過程を示しているため、ここでは説明を省略する。
【０１４４】
図１３（ｃ）の第３実施例に示すように、黒画像内部領域２０および黒画像境界領域２１では、１回目の走査で、プリントヘッド４の１〜９番目までのノズルを使って、上半分の領域にカラーインクを打ち込む。カラー画像境界領域２３では、１回目の走査で、プリントヘッド４の１〜９番目までのノズルを使って、上半分の領域にカラーインクを打ち込む。カラー画像内部領域２２では、１回目の走査で、プリントヘッド４の１〜９番目までのノズルを使って、マスクパターンを用いて、上半分の領域にカラーインクを打ち込む。
【０１４５】
次に、紙送りモータ６で副走査方向に記録紙を搬送させる。その後、黒画像内部領域２０及び黒画像境界領域２１では、２回目の走査で、１回目の走査とは反対方向に走査して、プリントヘッド４の１０〜１８番目までのノズルを使って、上半分の領域に黒インクを打ち込む。この時、同時にプリントヘッド４の１〜９番目のノズルを使って、下半分の領域にカラーインクを打ち込む。
【０１４６】
カラー画像内部領域２２では、２回目の走査で、プリントヘッド４の１０〜１８番目までのノズルを使って、マスクパターンを用いて、上半分の領域にカラーインクを打ち込む。この時、同時に、プリントヘッド４の１〜９番目までのノズルを使って、マスクパターンを用いて、下半分の領域にカラーインクを打ち込む。カラー画像境界領域２３では、２回目の走査で、プリントヘッド４の１〜９番目のノズルを使って、下半分の領域にカラーインクを打ち込む。
【０１４７】
次に、紙送りモータで副走査方向に記録媒体を搬送させる。その後、黒画像内部領域２０及び黒画像境界領域２１では、３回目の走査で、１回目の走査と同一方向に走査して、プリントヘッド４の１０〜１８番目までのノズルを使って、下半分の領域に黒インクを打ち込む。カラー画像内部領域２２では、３回目の走査で、プリントヘッド４の１０〜１８番目までのノズルを使って、マスクパターンを用いて、下半分の領域にカラーインクを打ち込み、画像を完成させる。
【０１４８】
第３実施例によれば、黒インクとカラーインク間で化学反応を起こすような特性をもつインクを用いて、黒インクとカラーインクが隣接する領域および黒画像内部領域で、黒インクより先にカラーインクを用紙上に形成するようにしたので、滲みや黒インクの乾燥性（定着性）を高めることができる。
【実施例４】
【０１４９】
次に第４実施例について説明する。第４実施例は、第１実施例と動作のみ異なるものであるため、第１実施例で説明したカラーインクジェット記録装置１を用いて説明する。第４実施例では、第３実施例と同様に、黒インクと相対的に浸透速度の速いカラーインクを用い、かつ黒インクとカラーインク間で化学反応を起こすことにより、滲みや乾燥性（定着性）を向上させるインクを用いた例について説明する。第４実施例では、各記録画像領域をプリントヘッド４回の走査で形成する４パス記録方式を採っている。
【０１５０】
図１４は印字順序を決定するためのテーブルである。マルチパス印字データ生成部２０６は、記録データ格納部２０４から入力画素データを受け取ると、図１４に示したテーブルを参照して、各画素がマルチパス印字の際に先のパスで打たれるべきか又は後のパスで打たれるべきかを以下のように決定する。
【０１５１】
黒画像内部領域２０では、カラー画素を先の走査で打ち込み（「１１」）、黒画素を後の走査で打ち込む（「１１」）。黒画像境界領域２１では、カラー画素を先の走査で打ち込み（「１１」）、黒画素を後の走査で打ち込む（「１１」）。カラー画像内部領域２２は、付加情報に基づく印字制限は行わない。カラー画像境界領域２３は、カラー画素を後の走査で打ち込む（「１０」）。
【０１５２】
このように、黒インクとカラーインクとの間で化学反応を起こす特性をもつインクを用いて、黒インクとカラーインクが隣接する領域および黒インク内部領域で、黒インクより先にカラーインクを用紙上に形成するようにしたので、反応凝固による滲みを防止できる。
【０１５３】
マルチパス印字生成部２６は、各領域の印字順序を決定すると、次にプリントヘッドの印字率を設定する。図１５はマルチパス印字におけるプリントヘッドの印字率の設定例を示す図である。
【０１５４】
マルチパルス印字生成部６ｂは、１回目の走査で、プリントヘッド４の１〜Ｎ／４番目までのノズルを使って、１／４の領域にインクを打ち込むようにし、２回目の走査で、プリントヘッド４の（Ｎ／４）＋１〜Ｎ／２番目までのノズルを使って、同領域にインクを打ち込むようにし、３回目の走査で、プリントヘッド４の（Ｎ／２）＋１〜Ｎ×３／４番目までのノズルを使って、同領域にインクを打ち込むようにし、４回目の走査で、プリントヘッド４の（Ｎ×３／４）＋１〜Ｎ番目までのノズルを使って、同領域にインクを打ち込むようにし、プリントヘッド４の印字率を設定する。
【０１５５】
領域毎に見ると、カラー画像内部領域２３では、１回目の走査で、プリントヘッド４の１〜Ｎ／４番目までのノズルを使って、１／４の領域を２５％に間引いてカラーインクを打ち込み、２回目の走査で、プリントヘッド４の（Ｎ／４）＋１〜Ｎ／２番目までのノズルを使って、同領域を２５％に間引いてカラーインクを打ち込み、３回目の走査で、プリントヘッド４の（Ｎ／２）＋１〜Ｎ×３／４番目までのノズルを使って、同領域を２５％に間引いてカラーインクを打ち込み、４回目の走査で、プリントヘッド４の（Ｎ×３／４）＋１〜Ｎ番目までのノズルを使って、同領域を２５％に間引いてカラーインクを打ち込むようにプリントヘッド４の印字率を設定する。
【０１５６】
黒画像境界領域２１では、１回目の走査で、プリントヘッド４の１〜Ｎ／４番目までのノズルを使って、１／４の領域を５０％に間引いてカラーインクを打ち込み、２回目の走査で、プリントヘッド４の（Ｎ／４）＋１〜Ｎ／２番目までのノズルを使って、同領域を５０％に間引いてカラーインクを打ち込み、更に２回目の走査で、プリントヘッド４の（Ｎ／４）＋１〜Ｎ／２番目までのノズルを使って、同領域を５０％に間引いて黒インクを打ち込み、３回目の走査で、プリントヘッド４の（Ｎ／２）＋１〜Ｎ×３／４番目までのノズルを使って、同領域を５０％に間引いて黒インクを打ち込むようにプリントヘッド４の印字率を設定する。
【０１５７】
カラー画像境界領域２３では、１回目の走査及び２回目の走査では、カラーインクの打ち込みを行わず、３回目の走査で、プリントヘッド４の（Ｎ／２）＋１〜Ｎ×３／４番目までのノズルを使って、１／４の領域を５０％に間引いてカラーインクを打ち込み、４回目の走査で、プリントヘッド４の（Ｎ×３／４）＋１〜Ｎ番目までのノズルを使って、同領域を５０％に間引いてカラーインクを打ち込むようにプリントヘッド４の印字率を設定する。
【０１５８】
黒画像内部領域２０では、１回目の走査で、プリントヘッド４の１〜Ｎ／４番目までのノズルを使って、１／４の領域を５０％に間引いてカラーインクを打ち込み、２回目の走査で、プリントヘッド４の（Ｎ／４）＋１〜Ｎ／２までのノズルを使って、同領域を５０％に間引いてカラーインクを打ち込み、３回目の走査で、プリントヘッド４の（Ｎ／２）＋１〜Ｎ×３／４番目までのノズルを使って、同領域を５０％に間引いて黒インクを打ち込み、４回目の走査で、プリントヘッド４の（Ｎ×３／４）＋１〜Ｎ番目までのノズルを使って、同領域を５０％に間引いて黒インクを打ち込むようにプリントヘッド４の印字率を設定する。
【０１５９】
次に、マルチパス印字データに基づく記録動作について説明する。図１６は第４実施例におけるマルチパス印字に基づく記録動作を説明するための図であり、同図（ａ）は元画像データを、同図（ｂ）は従来技術による４パス印字時の画像形成をパスごとに示す図、同図（ｃ）は第４実施例における画像形成例を示す図である。なお、図１０に示す例では、プリントヘッド４のノズル数が２０個である場合を例にとって説明する。従って、図９においてＮ＝２０となる場合の例である。
【０１６０】
図１６（ａ）において、符号２０は黒画像内部領域、２１は黒画像境界領域、２２はカラー画像内部領域、２３はカラー画像境界領域をそれぞれ示している。図１６（ｂ）の画像形成処理は、図１０（ｂ）の画像形成処理と同様であるため、ここでは説明を省略する。図１６（ｃ）の第３実施例に示すように、黒画像境界領域２１では、１回目の走査で、プリントヘッド４の１〜５番目までのノズルを使って、マスクパターンを用いて、上から１／４の領域に黒インクを打ち込む。
【０１６１】
カラー画像内部領域２２では、１回目の走査で、プリントヘッド４の１〜５番目までのノズルを使って、マスクパターンを用いて、上から１／４の領域にカラーインクを打ち込む。カラー画像境界領域２３では、１回目の走査で、カラーインクの打ち込みは行わない。
【０１６２】
次に、紙送りモータ６で副走査方向に記録紙を搬送させる。その後、黒画像内部領域２０では、２回目の走査で、１回目の走査とは反対方向にプリントヘッド４の１〜５番目までのノズルを使って、マスクパターンを用いて、上から２／４の領域にカラーインクを打ち込む。黒画像境界領域２１では、２回目の走査で、プリントヘッド４の６〜１０番目までのノズルを使って、マスクパターンを用いて、上から１／４の領域に黒インクを打ち込む。この時、同時にプリントヘッド４の１〜５番目までのノズルを使って、マスクパターンを用いて、上から２／４の領域にカラーインクを打ち込む。
【０１６３】
カラー画像内部領域２２では、２回目の走査で、プリントヘッド４の６〜１０番目までのノズルを使って、マスクパターンを用いて、上から１／４の領域にカラーインクを打ち込む。この時、同時にプリントヘッド４の１〜５番目までのノズルを使って、マスクパターンを用いて、上から２／４の領域にカラーインクを打ち込む。カラー画像境界領域では、２回目の走査で、カラーインクを打ち込まない。
【０１６４】
次に、紙送り用のモータで副走査方向に記録紙を搬送させる。その後、黒画像内部領域２０では、３回目の走査で、１回目の走査と同一方向に、プリントヘッド４の６〜１０番目までのノズルを使って、マスクパターンを用いて、上から２／４の領域にカラーインクを打ち込む。この時、同時にプリントヘッド４の１〜５番目までのノズルを使って、マスクパターンを用いて、上から３／４の領域にカラーインクを打ち込む。
【０１６５】
黒画像境界領域２１では、３回目の走査で、プリントヘッド４の１１〜１５番目までのノズルを使って、マスクパターンを用いて、上から１／４の領域に黒インクを打ち込み、プリントヘッド４の６〜１０番目までのノズルを使って、マスクパターンを用いて、上から２／４の領域に黒インクを打ち込む。
【０１６６】
カラー画像内部領域２２では、３回目の走査で、プリントヘッド４の１１〜１５番目までのノズルを使って、マスクパターンを用いて、上から１／４の領域にカラーインクを打ち込む。この時、同時にプリントヘッド４の６〜１０番目までのノズルを使って、マスクパターンを用いて、上から２／４の領域にカラーインクを打ち込み、プリントヘッド４の１〜５番目までのノズルを使って、マスクパターンを用いて、上から３／４の領域にカラーインクを打ち込む。カラー画像境界領域２３では、３回目の走査で、プリントヘッド４の１１〜１５までのノズルを使って、マスクパターンを用いて、上１／４の領域にカラーインクを打ち込む。
【０１６７】
次に、紙送りモータ６で副走査方向に記録紙を搬送させる。その後、黒画像内部領域２０では、４回目の走査で、１回目の走査とは反対方向にプリントヘッド４の１１〜１５番目までのノズルを使って、マスクパターンを用いて、上から２／４の領域に黒インクを打ち込み、プリントヘッド４の６〜１０番目のノズルを使って、マスクパターンを用いて、上から３／４の領域にカラーインクを打ち込む。
【０１６８】
黒画像境界領域２１では、４回目の走査で、プリントヘッド４の１１〜１５番目までのノズルを使って、マスクパターンを用いて、上から３／４の領域に黒インクを打ち込み、プリントヘッド４の６〜１０番目までのノズルを使って、マスクパターンを用いて、上から２／４の領域に黒インクを打ち込む。
【０１６９】
カラー画像内部領域２２では、４回目の走査で、プリントヘッド４の１６〜２０番目のノズルを使って、マスクパターンを用いて、上から１／４の領域にカラーインクを打ち込み、プリントヘッド４の１１〜１５番目までのノズルを使って、マスクパターンを用いて、上から２／４の領域にカラーインクを打ち込み、プリントヘッド４の６〜１０番目までのノズルを使って、マスクパターンを用いて、上から３／４の領域にカラーインクを打ち込み、プリントヘッド４の１〜５番目までのノズルを使って、マスクパターンを用いて、上から４／４の領域にカラーインクを打ち込む。
【０１７０】
カラー画像境界領域２３では、４回目の走査で、プリントヘッド４の１６〜２０番目のノズルを使って、マスクパターンを用いて、上１／４の領域にカラーインクを打ち込み、プリントヘッド４の１１〜１５番目までのノズルを使って、マスクパターンを用いて、上から２／４の領域にカラーインクを打ち込む。
【０１７１】
次に、紙送りモータ６で副走査方向に記録紙を搬送させる。その後、黒画像内部領域２０では、５回目の走査で、１回目の走査とは同一方向にプリントヘッド４の１６〜２０番目までのノズルを使って、マスクパターンを用いて、上から２／４の領域に黒インクを打ち込み、プリントヘッド４の１１〜１５番目までのノズルを使って、マスクパターンを用いて、上から３／４の領域に黒インクを打ち込む。
【０１７２】
黒画像境界領域２１では、５回目の走査で、プリントヘッド４の１１〜１５番目までのノズルを使って、マスクパターンを用いて、上から３／４の領域に黒インクを打ち込み、プリントヘッド４の６〜１０番目までのノズルを使って、マスクパターンを用いて、上から４／４の領域に黒インクを打ち込む。
【０１７３】
カラー画像内部領域２２では、５回目の走査で、プリントヘッド４の１６〜２０番目までのノズルを使って、マスクパターンを用いて、上から２／４の領域にカラーインクを打ち込み、プリントヘッド４の１１〜１５番目までのノズルを使って、マスクパターンを用いて、上から３／４の領域にカラーインクを打ち込み、プリントヘッド４の６〜１０番目までのノズルを使って、マスクパターンを用いて、上から４／４の領域にカラーインクを打ち込む。
【０１７４】
カラー画像境界領域２３では、５回目の走査で、プリントヘッド４の１６〜２０番目までのノズルを使って、マスクパターンを用いて、上から２／４の領域にカラーインクを打ち込み、プリントヘッド４の１１〜１５番目のノズルを使って、マスクパターンを用いて、上から３／４の領域にカラーインクを打ち込む。
【０１７５】
次に、紙送りモータ６で副走査方向に記録紙を搬送させる。その後、黒画像内部領域２０では、６回目の走査で、プリントヘッド４の１６〜２０番目までのノズルを使って、マスクパターンを用いて、上から３／４の領域に黒インクを打ち込む。黒画像境界領域２１では、６回目の走査で、プリントヘッド４の１１〜１５番目までのノズルを使って、マスクパターンを用いて、上から４／４の領域に黒インクを打ち込む。
【０１７６】
カラー画像内部領域２２では、６回目の走査で、プリントヘッド４の１６〜２０番目までのノズルを使って、マスクパターンを用いて、上から３／４の領域にカラーインクを打ち込み、プリントヘッド４の１１〜１５番目までのノズルを使って、マスクパターンを用いて、上から４／４の領域にカラーインクを打ち込む。
【０１７７】
カラー画像境界領域２３では、６回目の走査で、プリントヘッド４の１６〜２０番目までのノズルを使って、マスクパターンを用いて、上から３／４の領域にカラーインクを打ち込み、プリントヘッド４の１１〜１５番目までのノズルを使って、マスクパターンを用いて、上から４／４の領域にカラーインクを打ち込む。
【０１７８】
次に、紙送りモータ６で副走査方向に記録紙を搬送させる。その後、カラー画像内部領域２２では、７回目の走査で、プリントヘッド４の１６〜２０番目までのノズルを使って、マスクパターンを用いて、上から４／４の領域にカラーインクを打ち込む。カラー画像境界領域２３では、７回目の走査で、プリントヘッド４の１６〜２０番目までのノズルを使って、マスクパターンを用いて、上から４／４の領域にカラーインクを打ち込む。
【０１７９】
第４実施例によれば、反応型インクを用いているので黒画像内部領域２０及び黒画像境界領域２１ともにカラーインクを先打ちすることにより、黒インクの定着を促進し、黒画像境界領域２１及びカラー画像境界領域２３における滲みおよび黒画像内部領域２０での乾燥性(定着性)を向上させることができる。
【０１８０】
さらに、カラー画像境界領域２３では反応型インクによる滲み防止効果だけでなく、黒印字後のカラー印字時間までの時間間隔を設けることにより、さらに黒画像境界領域２１及びカラー画像境界領域２３における滲みの発生を抑制することができる。
【０１８１】
また、第４実施例で説明したように、４パス印字の際には、２パス印字の場合よりも、複雑なマルチパス印字データ生成規則を適用することができるので、従来例では得られない改善効果を得ることができる。なお、第１から第３実施例と同様に、画素変換処理については説明を省略するが、画素変換処理を合わせて行うようにしてもよい。
【０１８２】
以上各実施例で説明したように、印字画像の境界判定による情報付加とこれに基づく印字制御により、印字速度の低下を伴うことなく、黒画像境界領域２１及びカラー画像境界領域２３の滲みおよび乾燥性を改善できる。また、滲みや乾燥性に対してより条件厳しい用紙を用いる場合は、画素変換処理を併用することにより、より改善効果を高めることができる。
【０１８３】
以上本発明の好ましい実施例について詳述したが、本発明は係る特定の実施例に限定されるものではなく、特許請求の範囲に記載された本発明の要旨の範囲内において、種々の変形・変更が可能である。
【図面の簡単な説明】
【０１８４】
【図１】第１実施例に係るカラーインクジェット記録装置のブロック図である。
【図２】領域検出部による画素データの領域検出を説明するための図である。
【図３】第１実施例の画素変換のためのテーブルである。
【図４】画素変換例を示す図であり、（ａ）は入力画像データを示す図、（ｂ）は画素変換後の画像データを示す図である。
【図５】第１実施例の印字順序を決定するためのテーブルを示す図である。
【図６】第１実施例におけるマルチパス印字のプリントヘッドの印字率の設定例を示す図である。
【図７】第１実施例におけるマルチパス印字データに基づく記録動作を説明するための図である。
【図８】第２実施例の印字順序を決定するためのテーブルである。
【図９】第２実施例のマルチパス印字におけるプリントヘッドの印字率の設定例を示す図である。
【図１０】第２実施例におけるマルチパス印字データに基づく記録動作を説明するための図である。
【図１１】第３実施例の印字順序を決定するためのテーブルを示す図である。
【図１２】第３実施例のマルチパス印字におけるプリントヘッドの印字率の設定例を示す図である。
【図１３】第３実施例のマルチパス印字データに基づく記録動作を説明するための図である。
【図１４】第４実施例の印字順序を決定するためのテーブルである。
【図１５】第４実施例におけるマルチパス印字のプリントヘッドの印字率の設定例を示す図である。
【図１６】第４実施例におけるマルチパス印字に基づく記録動作を説明するための図である。
【符号の説明】
【０１８５】
１  インクジェット記録装置
２  画像処理装置
３  プリントヘッド駆動部
４  プリントヘッド
５  モータ駆動部
６  紙送りモータ
７  キャリッジモータ
２０１  色補正部
２０２  ｎ値化部
２０３  画像処理部
２０３ａ  領域検出部
２０３ｂ  画素変換部
２０４  記録データ格納部
２０５  マスクパターン生成部
２０６  マルチパス印字データ生成部
【図１】
0004701596.tif 000002
【図２】
0004701596.tif 000003
【図３】
0004701596.tif 000004
【図４】
0004701596.tif 000005
【図５】
0004701596.tif 000006
【図６】
0004701596.tif 000007
【図７】
0004701596.tif 000008
【図８】
0004701596.tif 000009
【図９】
0004701596.tif 000010
【図１０】
0004701596.tif 000011
【図１１】
0004701596.tif 000012
【図１２】
0004701596.tif 000013
【図１３】
0004701596.tif 000014
【図１４】
0004701596.tif 000015
【図１５】
0004701596.tif 000016
【図１６】
0004701596.tif 000017